(57)【要約】【課題】  本発明は、クリック感触を得るためのクリック機構が磨耗するのを軽減して、長寿命のロータリースイッチを提供すること。【解決手段】  回転可能な回転体９と、この回転体９の一部を回転可能に収納する空洞部２ａを有するハウジング２と、空洞部２ａ内に配設した固定接点４と、回転体９に取付けられて固定接点４に接離可能な可動接点８と、ハウジング２の空洞部２ａ上を覆うカバー部材１０とを備え、ハウジング２の空洞部２ａ上には、回転体９の回転に伴ってクリック感触が得られるクリック機構が配設され、このクリック機構は、それぞれが金属板からなる弾性部材１１とカバー部材１０とで構成され、カバー部材１０には、回転体９と共に回転する弾性部材１１が摺動することでクリック感触が得られる複数のクリック発生部１０ｃが形成されている。【選択図】        図１
2007149429.tif 000002
【特許請求の範囲】
【請求項１】
回転可能な回転体と、この回転体の一部を回転可能に収納する空洞部を有するハウジングと、前記空洞部内に配設した固定接点と、前記回転体に取付けられて前記固定接点に接離可能な可動接点と、前記ハウジングの空洞部上を覆うカバー部材とを備え、
前記空洞部上には、前記回転体の回転に伴ってクリック感触が得られるクリック機構が配設され、前記クリック機構は、それぞれが金属板からなる弾性部材と前記カバー部材とで構成され、前記カバー部材には、前記回転体と共に回転する前記弾性部材が摺動することでクリック感触が得られる複数のクリック発生部が形成されていることを特徴とするロータリースイッチ。
【請求項２】
前記弾性部材には、前記クリック発生部を摺動して係脱可能な係脱部が形成され、前記カバー部材には、前記係脱部が摺動可能な摺動部が形成されると共に、前記摺動部に複数の前記クリック発生部が形成されていることを特徴とする請求項１記載のロータリースイッチ。
【請求項３】
前記カバー部材の前記クリック発生部は、前記摺動部を所定間隔で貫通形成した複数の孔部からなり、前記弾性部材の前記係脱部は、前記孔部に係脱可能な凸状に形成されていることを特徴とする請求項２記載のロータリースイッチ。
【請求項４】
前記ハウジングには、前記空洞部の外周を囲む所定高さのカバー取付部が形成され、前記カバー取付部には、前記カバー部材の前記摺動部の外周縁を折り曲げて形成した係止部が係合して係止可能な係合部が形成されていることを特徴とする請求項２、または３記載のロータリースイッチ。
【請求項５】
前記弾性部材には、前記回転体に固着可能な固着部が形成され、前記固着部を前記回転体に固着して前記回転体と前記弾性部材とが一体化され、前記係脱部は、前記回転体を挟んだ対称位置に一対形成されていることを特徴とする請求項２乃至４のいずれか１項に記載のロータリースイッチ。
【請求項６】
前記回転体は、前記ハウジングの前記空洞部に収納されて回転可能な回転基部を有し、この回転基部には、前記可動接点を取付けた摺動子受けが固着されて前記回転体と共に回転可能になっていることを特徴とする請求項２乃至５の何れか1項に記載のロータリースイッチ。
【請求項７】
前記空洞部の前記固定接点を配設した底壁には、前記摺動子受けを回転可能に支持する支持壁が所定高さで突出形成されていることを特徴とする請求項６記載のロータリースイッチ。
【請求項８】
前記カバー部材に形成した前記孔部からなる前記クリック発生部が対向する前記ハウジングの前記カバー取付部には、所定深さの凹部が形成されていることを特徴とする請求項５乃至７の何れか1項に記載のロータリースイッチ。
【請求項９】
前記凹部は、前記クリック発生部と対向する位置の前記カバー取付部に形成した円弧状の凹溝からなることを特徴とする請求項８記載のロータリースイッチ。
【請求項１０】
前記空洞部の中心部の前記底壁には、上方に突出する支持軸が形成され、前記支持軸と対抗する前記摺動子受けの回転中心には、前記支持軸に嵌合して回転可能な支持孔が形成されていることを特徴とする請求項７乃至９のいずれか１項に記載のロータリースイッチ。
【発明の詳細な説明】
【技術分野】
【０００１】
本発明はロータリースイッチに係わり、デジタルカメラ等のディスプレイに表示されるメニュー等を切替可能なロータリースイッチに関する。
【背景技術】
【０００２】
従来のロータリースイッチを、例えば特許文献１に記載のもので説明すると、特許文献１記載のロータリースイッチ３０は、図６、図７に示すように、最下部に樹脂材料からなるハウジング３１が配設され、このハウジング３１には、円筒状の支持部３１ａと、この支持部３１ａの下端側に略環状の収納部３１ｂとを有する基盤部３１ｃが形成されている。
前記基盤部３１ｃには、外方に導出して開口部３１ｄが形成され、この開口部３１ｄには、固定端子部３２が配設されている。また、固定端子部３２は、絶縁材からなる基台 ３２ａと、この基台３２ａの一端側から複数の接続端子３２ｂが延出形成されている。そして、複数の接続端子３２ｂは、基台 ３２ａに埋設されていると共に、基台 ３２ａの他端部側から延出する複数の摺動子３２ｃに接続されている。
【０００３】
また、ハウジング３１の収納部３１ｂには、樹脂材料からなる回路基板３３が配設され、この回路基板３３は、中央にハウジング３１の支持部３１ａが挿通可能な挿通孔３３ａが形成されて外形が略環状に形成されている。
また、回路基板３３は、下面に摺動子３２ｃと摺接する環状の接点部（図示せず）が複数形成されて、回転体３４の下面に固着されている。
そして、回転体３４の回転に伴って回路基板３３が回転することで、接点部が摺動子３２ｃに摺接してスイッチ回路が切換わるようになっている。
前記回転体３４は、樹脂材料からなり、ハウジング３１の支持部３１ａに挿入されて回転可能な円筒状の回転軸部３４ａが形成されている。
【０００４】
また、回転軸部３４ａの図示下端側には、ハウジング３１の収納部３１ｂに収納されるツバ状の回転基部３４ｂが形成され、この回転基部３４ｂの下面に回路基板３３が接着剤等で固着されている。そして、回転基部３４ｂの上面には、内側の内周領域に凹溝３４ｃが周方向に複数形成されると共に、凹溝３４ｃの外側の外周領域に平坦状の補助ばね受け部３４ｄが形成されている。
また、凹溝３４ｃ上には、略環状のばね部材３５が配設され、このばね部材３５の互いに対向する位置に一対の平坦部３５ａが形成され、この平坦部３５ａにかしめ孔３５ｂが形成されている。
【０００５】
また、ばね部材３５は、平坦部３５ａを境として両端部を略Ｖ字状に屈曲した弾性腕部３５ｃが形成され、この弾性腕部３５ｃの図示奥側の一端側の中央には、凹溝３４ｃに係脱可能な凸部３５ｄが形成されている。
前記凸部３５ｄ近傍から外側に延設され、弾性腕部３５ｃの円弧方向に沿って略Ｔ字状で自由端状の補助ばね部３５ｅが形成されている。
【０００６】
また、ばね部材３５の上部に配設される金属板からなるフレーム３６には、回転体３４の回転軸部３４ａが挿通する窓孔３６ａが形成されると共に、ばね部材３５を下面に取付けるための一対の取付孔３６ｂが形成されている。
そして、取付孔３６ｂにばね部材３５のかしめ孔３５ｂを重ね合わせた状態でリベット３７を挿入してかしめ付けることで、フレーム３６にばね部材３５が固着されて一体化される。
また、フレーム３６には、ハウジング３１を抱き込むようにかしめ付けるための複数の係合片３６ｃと、電子機器などの基板（図示せず）にリフロー半田等で取付けるための取付脚３６ｄとが形成されている。
このような従来のロータリースイッチは、フレーム３６の係合片３６ｃをハウジング３１にかしめ付けて組み立てがされ、取付脚３６ｄが、電子機器などの基板にリフロー半田等により取付け可能になっている。
【０００７】
このような構成の従来のロータリースイッチの操作は、まず、回転体３４の回転軸部３４ａに取付けた摘み（図示せず）を回転操作すると、ハウジング３１の支持部３１ａを中心として回転体３４が回転する。
この時、回転体３４に取付けた回路基板３３が回動して、この回路基板３３に形成した接点部（図示せず）が、固定端子部３２の摺動子３２ｃに当接した状態で摺動して、スイッチの切替が行われる。
また、回転体３４が回転することで、図８に示すように、補助ばね部３５ｅの自由端部が、平坦状の補助ばね受け部３４ｄに当接した状態で摺接すると共に、回転体３４の凹溝３４ｃがばね部材３５の凸部３５ｄに対して係脱してクリック感が得られる。
即ち、樹脂材料からなる回転体３４の凹溝３４ｃと、金属板からなるばね部材３５の凸部３５ｄとでクリック機構を構成して、クリック感触を得ることができるようになっている。
【特許文献１】特開２００２−１１０００２号公報
【発明の開示】
【発明が解決しようとする課題】
【０００８】
しかし、従来のロータリースイッチは、回転体３４が樹脂材料で形成され、ばね部材３５が金属板で形成されているために、クリック機構である回転体３４の凹溝３４ｃが、ばね部材３５の凸部３５ｄに対して係脱を繰り返すことで、凹溝３４ｃのコーナ部が削られて磨耗し、ロータリースイッチの寿命が短くなる問題があった。
また、凹溝３４ｃが削られることで、樹脂粉等の磨耗粉が発生し、摺動子３２ｃ、或いは回路基板３３の接点部等に付着して、スイッチが導通不良等になるおそれがあった。
【０００９】
本発明は、前述したような課題を解決するためになされたもので、クリック感触を得るためのクリック機構が磨耗するのを軽減して、長寿命のロータリースイッチを提供することを目的とする。
【課題を解決するための手段】
【００１０】
前記課題を解決するための第１の手段として本発明のロータリースイッチは、回転可能な回転体と、この回転体の一部を回転可能に収納する空洞部を有するハウジングと、前記空洞部内に配設した固定接点と、前記回転体に取付けられて前記固定接点に接離可能な可動接点と、前記ハウジングの空洞部上を覆うカバー部材とを備え、前記カバー部材上には、前記回転体の回転に伴ってクリック感触が得られるクリック機構が配設され、前記クリック機構は、それぞれが金属板からなる弾性部材と前記カバー部材とを有し、前記カバー部材には、前記回転体と共に回転する前記弾性部材が摺動することでクリック感触が得られる複数のクリック発生部が形成されていることを特徴とする。
また、前記課題を解決するための第２の手段として、前記弾性部材は、前記クリック発生部に係脱可能な係脱部が形成され、前記カバー部材には、前記弾性部材の前記係脱部が摺動可能な摺動部が形成されると共に、前記摺動部に複数の前記クリック発生部が形成されていることを特徴とする。
【００１１】
また、前記課題を解決するための第３の手段として、前記カバー部材の前記クリック発生部は、前記摺動部を所定間隔で貫通形成した複数の孔部からなり、前記弾性部材の前記係脱部は、前記孔部に係脱可能な凸状に形成されていることを特徴とする。
また、前記課題を解決するための第４の手段として、前記ハウジングには、前記空洞部の外周を囲む所定高さのカバー取付部が形成され、前記カバー部材には、前記摺動部の外周縁を折り曲げて前記カバー取付部に形成した係合部に係止可能な係止部が形成されていることを特徴とする。
【００１２】
また、前記課題を解決するための第５の手段として、前記弾性部材には、前記回転体に固着可能な固着部が形成され、前記固着部を前記回転体に固着して前記回転体と前記弾性部材とが一体化され、前記係脱部は、前記回転体を挟んだ対称位置に一対形成されていることを特徴とする。
また、前記課題を解決するための第６の手段として、前記回転体は、前記ハウジングの前記空洞部に収納されて回転可能な回転基部を有し、この回転基部には、前記可動接点を取付けた摺動子受けが固着されて前記回転体と共に回転可能になっていることを特徴とする。
【００１３】
また、前記課題を解決するための第７の手段として、前記空洞部の前記固定接点を配設した底壁には、前記摺動子受けを回転可能に支持する支持部が所定高さで突出形成されていることを特徴とする請求項６記載のロータリースイッチ。
また、前記課題を解決するための第８の手段として、前記カバー部材に形成した前記孔部からなる前記クリック発生部が対向する前記ハウジングの前記カバー取付部には、所定深さの凹部が形成されていることを特徴とする。
【００１４】
また、前記課題を解決するための第９の手段として、前記凹部は、前記クリック発生部と対向する位置の前記カバー取付部に形成した円弧状の凹溝からなることを特徴とする。
また、前記課題を解決するための第１０の手段として、前記空洞部の中心部の前記底壁には、上方に突出する支持軸が形成され、前記支持軸と対抗する前記摺動子受けの回転中心には、前記支持軸に嵌合して回転可能な支持孔が形成されていることを特徴とする。
【発明の効果】
【００１５】
本発明のロータリースイッチのクリック機構は、それぞれが金属板からなる弾性部材とカバー部材とで構成され、カバー部材には、回転体と共に回転する弾性部材が摺動することでクリック感触が得られる複数のクリック発生部が形成されているので、クリック機構を構成する弾性部材とカバー部材とのそれぞれが金属材料であり、互いの部材の磨耗を軽減することができ、長寿命のロータリスイッチを提供できる。また、弾性部材及びカバー部材の両方を金属板とすることで、互いの部材を強く押圧することができ、大きて高感度のクリック感触を得られる。
また、弾性部材には、クリック発生部を摺動して係脱可能な係脱部が形成され、カバー部材には、係脱部が摺動可能な摺動部が形成されると共に、摺動部に複数のクリック発生部が形成されているので、係脱部がクリック発生部を係脱することで高感度のクリック感触を得ることができる。
【００１６】
また、カバー部材のクリック発生部は、摺動部を所定間隔で貫通形成した複数の孔部からなり、弾性部材の係脱部は、孔部に係脱可能な凸状に形成されているので、凸状の係脱部が孔部からなるクリック発生部を係脱して、更に高感度なクリック感触を得ることができる。
また、ハウジングには、空洞部の外周を囲む所定高さのカバー取付部が形成され、カバー部材には、カバー部材の外周縁を折り曲げて形成した係止部が係合して係止可能な係合部が形成されているので、カバー部材の係止部をハウジングの係合部にスナップ係合させて、カバー部材をハウジングに確実に係止できる。
【００１７】
また、弾性部材は、回転体に固着可能な固着部が形成され、固着部を回転体に固着して回転体と弾性部材とが一体化され、係脱部は、回転体を挟んだ対称位置に一対形成されているので、一対の係脱部によって、弾性部材をカバー部材にバランスよく均等に弾性付勢することができる。
また、回転体は、ハウジングの空洞部に収納されて回転可能な回転基部を有し、この回転基部には、可動接点を取付けた摺動子受けが固着されて回転体と共に回転可能になっているので、可動接点を取付けた摺動子受けを回転体に取り付けることで、可動接点を回転体に一体化でき組立て性が良い。
【００１８】
また、空洞部の固定接点を配設した底壁には、摺動子受けを回転可能に支持する支持壁が所定高さで突出形成されているので、支持壁によって固定接点に対する可動接点の圧接圧を均一にできる。
また、カバー部材に形成した孔部からなるクリック発生部が対向するハウジングのカバー取付部には、所定深さの凹部が形成されているので、カバー部材、または弾性部材が磨耗して磨耗粉が発生したとしても、この磨耗粉が凹部に位置して空洞部内の接点部に侵入するのを防止できる。
【００１９】
また、凹部は、クリック発生部と対向する位置のカバー取付部に形成した円弧状の凹溝からなるので、ハウジングを成型する金型の製造が容易である。
また、空洞部の中心部の底壁には、上方に突出する支持軸が形成され、支持軸と対向する摺動子受けの回転中心には、支持軸に嵌合して回転可能な支持孔が形成されているので、回転するときの回転体の偏心を防止できる。
【発明を実施するための最良の形態】
【００２０】
以下に、本発明のロータリースイッチの実施の形態を図面に基づいて説明する。まず、本発明の実施の形態のロータリースイッチ１を図１〜図５に基づいて説明すると、外形が多角形（例えば略８角形）に形成された樹脂材料からなるハウジング２が最下部に配設されている。
このハウジング２は、中央部に所定の直径寸法と深さからなる円形状の空洞部２ａが形成され、この空洞部２ａは、後述する回転体９に取付けて一体化した摺動子受け７を回転可能に収納可能になっている。また、空洞部２ａは、下部が底壁２ｂで遮蔽されて上方が開放され、外周部がカバー取付部２ｃで囲まれている。
【００２１】
また、カバー取付部２ｃの外周面の互いに対向する４箇所には、鉤状の係合部２ｄが突出形成されている。前記底壁２ｂ上で空洞部２ａの外周側には、後述する回転体９に取付けた摺動子受け７を回転可能に支持する支持壁２ｅが所定高さで形成されている。
また、ハウジング２の裏面には、図３に示すように、電子機器などの基板（図示せず）に位置決めするための位置決め突起２ｆが突出形成されている。
また、空洞部２ａの外側のカバー取付部２ｃには、後述するカバー部材１０の孔状のクリック発生部１０ｃと対向する位置に、環状の凹溝からなる凹部３が所定深さで形成されている。
また、空洞部２ａの底壁２ｂ上には、固定接点４が露出して配設されており、この固定接点４は、空洞部２ａの外周寄りの位置に、複数の個別接点４ａが円周方向に互いに隣り合って形成されると共に、個別接点４ａの内周側の位置に環状の共通接点４ｂが形成されている。
【００２２】
前記固定接点４は、個別接点４ａ及び共通接点４ｂが、それぞれが絶縁されて底壁２ｂ及びカバー取付部２ｃに埋設されて、ハウジング２外部に導出する複数の外部端子５に接続されている。
また、空洞部２ａの中心部の底壁２ｂには、支持軸６が所定の径寸法と高さ寸法で突出形成されている。
また、空洞部２ａ内には、樹脂材料からなり外形が円形状の摺動子受け７がガタ無く収納可能となっている。前記摺動子受け７は、上面に後述する回転体９の回転基部９ａが嵌合可能な円形状で凹状の嵌合部７ａが形成され、この嵌合部７ａにＤカット状の回り止め部７ｂが形成され、中心部に支持軸６が嵌合してガタ無く回転可能な支持孔７ｃが形成されている。
【００２３】
また、摺動子受け７の下面には、共通接点４ｂに圧接して摺動可能な第１摺動子８ａと、個別接点４ａに圧接して摺動可能な第２摺動子８ｂとが形成された略環状の可動接点８が取付けられている。
前記可動接点８には、互いに対向する位置に一対の取付孔８ｃが形成され、この一対の取付孔８ｃが摺動子受け７の下面にカシメ等で固着されている。そして、可動接点８を取付けた摺動子受け７は、回転体９の回転基部９ａに嵌合部７ａを嵌合させて接着剤等で回転体９に一体化されている。
【００２４】
前記回転体９は、樹脂材料等からなり最下部に径の大きな回転基部９ａと、この回転基部９ａの上部に回転基部９ａより径の小さいカバー嵌合部９ｂと、このカバー嵌合部９ｂの上部にカバー嵌合部９ｂより径の小さい弾性部材嵌合部９ｃとが形成されて階段状になっている。
そして、弾性部材嵌合部９ｃには、後述する弾性部材１１の固着部１１ｂが嵌合可能な取付部９ｄが彫り込み形成されている。また、回転体９には、弾性部材嵌合部９ｃより小径の摘み部９ｅが、図示上方に突出形成されている。
【００２５】
また、空洞部２ａ上には、回転体９の回転に伴ってクリック感触が得られるクリック機構が配設されており、このクリック機構は、それぞれが金属板からなるカバー部材１０と弾性部材１１とで構成されている。
前記カバー部材１０には、鉄板等の金属板からなり、回転体９のカバー嵌合部９ｂに回転可能にガタ無く嵌合する挿通孔１０ａと、この挿通孔１０ａの外周側に外形が略環状で平坦状の摺動部１０ｂとが形成されている。
また、摺動部１０ｂには、プレス加工等で所定間隔で貫通形成された複数の孔部からなるクリック発生部１０ｃが形成されている。
【００２６】
前記孔部からなるクリック発生部１０ｃは、一方の面（図示上面）側から打抜き加工しているので、一方の面側のコーナ部にダレ（剪断面）が形成されると共に、他方の面（図示下面）側にバリ（破断面）が形成されるようになっている。
そのために、クリック発生部１０ｃに後述する弾性部材１１の凸状の係脱部１０ａが無理なく係脱でき、フィーリングの良いクリック感触が得られる。
また、カバー部材１０には、摺動部１０ｂの互いに対向する外周縁の４箇所を図示下方に折り曲げて係止部１０ｄが形成されている。
このようなカバー部材１０は、ハウジング２の空洞部２ａ上を遮蔽するように摺動部１０ｂをカバー取付部２ｃ上にかぶせると、係止部１０ｄがハウジング２の係合部２ｄにスナップ係合して係止されるようになっている。
【００２７】
また、クリック機構の一部である弾性部材１１は、ステンレス等の弾性を有する金属板からなり、外形が略楕円状に形成され、中心部に回転体９の弾性部材嵌合部９ｃに嵌合可能な嵌合孔１１ａが形成され、この嵌合孔１１ａの内周面の互いに対向する位置に一対の固着部１１ｂが、内向きに突出形成されている。
そして、弾性部材１１には、一対の固着部１１ｂの外側に、円弧状のスリット溝１１ｃ、１１ｃがそれぞれ形成され、このスリット溝１１ｃの外側にそれぞれ弾性腕部１１ｄ、１１ｄが形成されている。
前記弾性腕部１１ｄの互いに対向する位置には、図示下方側に突出させて凸状の係脱部１１ｅが一対形成されている。
【００２８】
このような弾性部材１１は、ハウジング２に取付けたカバー部材１０の挿通孔１０ａから挿通する回転体９の摘み部９ｅに、嵌合孔１１ａを挿通して固着部１１ｂを取付部９ｄに位置合わせして嵌合させ、取付部９ｄを組立治具（図示せず）でカシメ付けることで、弾性部材１１が回転体９に一体化されて、回転体９と共に回転可能になっている。
そして、回転体９と共に弾性部材１１が回転すると、摺動部１０ｂを係脱部１１ｅが摺動して、孔部からなるクリック発生部１０ｃを係脱する。このことで、操作者が高感度のクリック感触を得ることができる。
【００２９】
このような構成の本発明のロータリースイッチ１の組立ては、ハウジング２の空洞部２ａに、回転体９に一体化した摺動子受け７を収納する。すると、摺動子受け７の外周部側が支持壁２ｅ上に位置すると共に、摺動子受け７に取付けた可動接点８がハウジング２の底壁２ｂに配設した固定接点４に圧接される。
その後、回転体９の摘み部９ｅをカバー部材１０の挿通孔１０ａに挿通させて、挿通孔１０ａを回転体９のカバー嵌合部９ｂに嵌合させると共に、摺動部１０ｂをハウジング２のカバー取付部２ｃ上に位置させる。すると、係止部１０ｄが係合部２ｄにスナップ係合されて、カバー部材１０がハウジング２に一体化される。
【００３０】
すると、カバー部材１０のクリック発生部１０ｃがハウジング２の凹部３上に位置すると共に、回転体９がカバー部材１０により空洞部２ａから抜け止めされる。
次に、カバー部材１０の挿通孔１０ａから上方に挿通する回転体９の取付部９ｄに弾性部材１１の固着部１１ｂを位置合わせして嵌合させると、弾性部材１１の嵌合孔１１ａが弾性部材嵌合部９ｃに嵌合する。
そして、組立治具等で取付部９ｄをカシメ付けることで、弾性部材１１が回転体９に一体化されて、本発明のロータリースイッチ１が組立てられている。
【００３１】
このように組立てられたロータリースイッチ１の操作は、回転体９の摘み部９ｅを操作者が回転操作すると、弾性部材１１の係脱部１１ｅがカバー部材１０の摺動部１０ｂ上を摺動して、孔部からなるクリック発生部１０ｃを係脱してクリック感触が発生する。
このクリック感触に対応して、第１摺動子８ａが複数の個別接点４ａを接離してスイッチ回路が切替えられる。
即ち、スイッチ回路が切換わるのに連動して、操作者がクリック感触を得ることができ、操作性に優れている。
このような本発明のロータリースイッチ１は、例えばデジタルカメラ等の電子機器に用いられれており、回転体９を回転操作することで、ディスプレイ上に表示されているメニュー等の選択、或いはスクロール等が行えるようになっている。
【００３２】
尚、ハウジング２のカバー取付部２ｃに形成した凹部３は、図１において、所定深さと幅寸法の凹溝で説明したが、カバー部材１０の孔部からなるクリック発生部１０ｃと対向する位置のカバー取付部２ｃを、所定深さで角孔状に掘り込み形成したものでも良い。
また、カバー部材１０のクリック発生部１０ｃを角孔状に打ち抜きした孔部で説明したが、摺動部１０ｂを所定深さで凹状に図示下方にへこませたものでも良い。
【図面の簡単な説明】
【００３３】
【図１】本発明のロータリースイッチの分解斜視図である。
【図２】本発明のロータリースイッチの上面図である。
【図３】図２の側面図である。
【図４】図２の４-４断面図である。
【図５】図３の５-５断面図である。
【図６】従来のロータリースイッチの分解斜視図である。
【図７】従来のロータリースイッチの回転体の要部拡大図である。
【図８】従来のロータリースイッチの回転体とばね部材の凸部との関係を説明する要部断面図である。
【符号の説明】
【００３４】
１  本発明のロータリースイッチ
２  ハウジング
２ａ  空洞部
２ｂ  底壁
２ｃ  カバー取付部
２ｂ  係合部
２ｅ  支持壁
３  凹部
４  固定接点
４ａ  個別接点
４ｂ  共通接点
５  外部端子
６  支持軸
７  摺動子受け
７ａ  嵌合部
７ｂ  回り止め部
７ｃ  支持孔
８  可動接点
８ａ  第１摺動子
８ｂ  第２摺動子
８ｃ  取付孔
９  回転体
９ａ  回転基部
９ｂ  カバー嵌合部
９ｃ  弾性部材嵌合部
９ｄ  取付部
９ｅ  摘み部
１０  カバー部材
１０ａ  挿通孔
１０ｂ  摺動部
１０ｃ  クリック発生部
１０ｄ  係止部
１１  弾性部材
１０ａ  嵌合孔
１１ｂ  固着部
１１ｃ  スリット溝
１１ｄ  弾性腕部
１１ｅ  係脱部
【図１】
2007149429.tif 000003
【図２】
2007149429.tif 000004
【図３】
2007149429.tif 000005
【図４】
2007149429.tif 000006
【図５】
2007149429.tif 000007
【図６】
2007149429.tif 000008
【図７】
2007149429.tif 000009
【図８】
2007149429.tif 000010